(57)【要約】【課題】スキューの発生を防止することのできる搬送装置を提供する。【解決手段】被記録媒体Ｐを給紙する給紙ローラー１６と、被記録媒体Ｐの側縁に当接することによって被記録媒体１６を整列させつつ、その搬送を案内するエッジガイド６０と、を有した搬送装置である。エッジガイド６０には、被記録媒体Ｐの搬送方向下流側において、被記録媒体Ｐが斜めに搬送されることを規制する規制部６２が設けられている。【選択図】図２
2011051726.tif 000002
【特許請求の範囲】
【請求項１】
被記録媒体を給紙する給紙ローラーと、
前記被記録媒体の側縁に当接することによって該被記録媒体を整列させつつ、その搬送を案内するエッジガイドと、を有し、
前記エッジガイドには、前記被記録媒体の搬送方向下流側において、当該被記録媒体が斜めに搬送されることを規制する規制部が設けられていることを特徴とする搬送装置。
【請求項２】
前記エッジガイドは、前記被記録媒体の幅方向に沿って移動可能に設けられることを特徴とする請求項１に記載の搬送装置。
【請求項３】
前記給紙ローラーを支持するアーム部を有し、
前記アーム部は、前記給紙ローラーが当接する前記被記録媒体の幅方向における一端側と反対の他端側における前記被記録媒体の浮き上がりを押さえる押さえ部を有することを特徴とする請求項１又は２に記載の搬送装置。
【請求項４】
前記押さえ部は前記被記録媒体との当接面が曲面からなり、該曲面の径は前記給紙ローラーの径よりも小さいことを特徴とする請求項３に記載の搬送装置。
【請求項５】
前記規制部は、前記被記録媒体の幅方向における他端側に当接することを特徴とする請求項３又は４に記載の搬送装置。
【請求項６】
前記規制部は、前記押さえ部よりも高い位置で前記被記録媒体に当接する位置に配置されていることを特徴とする請求項３〜５のいずれか一項に記載の搬送装置。
【請求項７】
複数の前記被記録媒体を積層した状態で収容可能なカセット部材を備え、
前記規制部は、前記カセット部材内に前記被記録媒体が最大数収容されている場合において前記給紙ローラーにより搬送される第一被記録媒体と、前記カセット部材内に前記被記録媒体が１つだけ収容されている場合において前記給紙ローラーにより搬送される第二記録媒体とにおける搬送経路が略同じにするように規制することを特徴とする請求項１〜６のいずれか一項に記載の搬送装置。
【発明の詳細な説明】
【技術分野】
【０００１】
本発明は、プリンター等の記録装置において被記録媒体を搬送する搬送装置に関するものである。
【背景技術】
【０００２】
記録装置の１つとしてのプリンターでは、記録用紙（被記録媒体）を積層状態で給紙カセット内に設置可能であるとともにセットされた記録用紙のうち最上位のものから１枚づつ取り出して搬送する搬送装置が設けられている。
【０００３】
このような搬送装置として、最上位の記録用紙にピックアップローラー（給紙ローラー）を接して回転することで、この記録用紙を給紙カセットから取り出して給紙方向に送り出すものが知られている（例えば、特許文献１参照）。
【先行技術文献】
【特許文献】
【０００４】
【特許文献１】特開２００６−２７２５５４号公報
【発明の概要】
【発明が解決しようとする課題】
【０００５】
ところで、上記搬送装置においては、種々の大きさの記録用紙に対させるため、記録用紙の一端側に給紙ローラーが偏倚して位置することとなる。そのため、記録用紙が斜めに送り出されてしまう、所謂スキューが発生してしまうという問題があった。記録用紙がスキューした状態で搬送されると、紙詰まりや印字不良等を引き起こす可能性がある。
【０００６】
本発明はこのような事情に鑑みてなされたものであって、スキューの発生を防止することのできる搬送装置を提供することを目的としている。
【課題を解決するための手段】
【０００７】
上記課題を解決するために、本発明の搬送装置は、被記録媒体を給紙する給紙ローラーと、前記被記録媒体の側縁に当接することによって該被記録媒体を整列させつつ、その搬送を案内するエッジガイドと、を有し、前記エッジガイドには、前記被記録媒体の搬送方向下流側において、当該被記録媒体が斜めに搬送されることを規制する規制部が設けられていることを特徴とする。
【０００８】
本発明の搬送装置によれば、エッジガイドに設けられた規制部によって被記録媒体が斜めに搬送される、所謂スキューの発生を防止することができる。よって、被記録媒体を良好に搬送することのできる信頼性の高い搬送装置を提供できる。
【０００９】
また、上記搬送装置においては、前記エッジガイドは、前記被記録媒体の幅方向に沿って移動可能に設けられるのが好ましい。
この構成によれば、エッジガイドにより種々の大きさの被記録媒体を搬送可能な汎用性に優れた搬送装置を提供できる。
【００１０】
また、上記搬送装置においては、前記給紙ローラーを支持するアーム部を有し、前記アーム部は、前記給紙ローラーが当接する前記被記録媒体の幅方向における一端側と反対の他端側における前記被記録媒体の浮き上がりを押さえる押さえ部を有するのが好ましい。
この構成によれば、被記録媒体の浮き上がりを抑えることが可能となる。よって、種々の大きさの被記録媒体に対応した多機能の搬送装置を提供できる。
【００１１】
また、上記搬送装置においては、前記押さえ部は前記被記録媒体との当接面が曲面からなり、該曲面の径は前記給紙ローラーの径よりも小さいのがより望ましい。
このように押さえ部の径が給紙ローラーよりも小さい場合、被記録媒体が給紙ローラーよりも先に押さえ部に接触することで搬送時に負荷が生じることが防止される。しかしながら、押え部の径が給紙ローラーに比べて小さいので被記録媒体の両端において搬送経路に差が生じることでスキューが生じる可能性がある。本願発明は、このようにスキューが発生しやすい状況においても上述のように規制部を備えるので、スキューの発生を確実に防止できる。
【００１２】
また、上記搬送装置においては、前記規制部は、前記被記録媒体の幅方向における他端側に当接するのがより好ましい。
この構成によれば、規制部が被記録媒体の幅方向における他端側に当接することで、被記録媒体が斜めに搬送されるのを良好に防止することができる。
【００１３】
また、上記搬送装置においては、前記規制部は、前記押さえ部よりも高い位置で前記被記録媒体に当接する位置に配置されているのがより好ましい。
この構成によれば、カセット部材内に被記録媒体が最大数だけ収容されているような場合でも確実に被記録媒体にスキューが生じるのを防止することができる。
【００１４】
また、上記搬送装置においては、複数の前記被記録媒体を積層した状態で収容可能なカセット部材を備え、前記規制部は、前記カセット部材内に前記被記録媒体が最大数収容されている場合において前記給紙ローラーにより搬送される第一被記録媒体と、前記カセット部材内に前記被記録媒体が１つだけ収容されている場合において前記給紙ローラーにより搬送される第二記録媒体とにおける搬送経路が略同じにするように規制するのが好ましい。
この構成によれば、カセット部材内に収容される被記録媒体の数に応じてスキュー量が変化することを防止できる信頼性の高い搬送装置を提供できる。
【図面の簡単な説明】
【００１５】
【図１】インクジェットプリンターの内部構造を示す斜視図である。
【図２】インクジェットプリンターの内部構造の概略を示す側断面図である。
【図３】揺動アーム及び給紙カセットの構成を示す斜視図である。
【図４】揺動アームの要部を説明するための図である。
【図５】給紙カセットの斜視構成を示す図である。
【図６】エッジガイドの構成を示す図である。
【図７】規制部の作用を説明するための図である。
【発明を実施するための形態】
【００１６】
以下、本発明に係る搬送装置を備えた記録装置について説明する。最初に記録装置を実施するための最良の形態としてインクジェットプリンター１を採り上げて、その全体構成の概略を図面に基づいて説明する。
【００１７】
図１はインクジェットプリンターの内部構造を示す斜視図、図２はインクジェットプリンターの内部構造の概略を示す側断面図である。
なお、図示のインクジェットプリンター１は、上部に図示を省略した画像読取り装置（スキャナ）を搭載した複合型のインクジェットプリンターであり、用紙やフィルム等の軟質の被記録媒体の他に、不図示のＣＤ−ＲやＤＶＤ−Ｒ等を含む光ディスク等の硬質の被記録媒体に対しても記録を実行することができるタイプのインクジェットプリンターである。また、図示のインクジェットプリンター１は、被記録媒体の記録実行領域での搬送方向Ａと交差する幅方向Ｂに往復移動し得るキャリッジ４０の下面に記録ヘッド４２を搭載したシリアルプリンターである。なお、以下の説明においては、インクジェットプリンター１のうち、本願の特徴である記録用紙（被記録媒体）を搬送する搬送装置を主体として説明する。
【００１８】
このインクジェットプリンター１は、外観が比較的フラットな面によって構成されている矩形筐体状の記録装置本体であるプリンター本体２を備えている。そして、プリンター本体２の前面２ａの中央下部に多数枚の記録用紙（被記録媒体）Ｐを積層状態で収容し得る給紙カセット（カセット部材）１１が着脱可能に装着されている。また、この給紙カセット１１の装着面の上方には記録実行後の記録用紙Ｐを積層状態でスタックするための排出用スタッカー４７が設けられている。この他、プリンター本体２の前面２ａには各種の操作指令を実行するための図示しない操作ボタンと、各種のインクカートリッジを収容するための図示しないカートリッジホルダー等が設けられている。
【００１９】
給紙カセット１１は、記録用紙Ｐの搬送経路の始発位置に設けられる部材で、給紙カセット１１内に収容された記録用紙Ｐは、自動給送装置３によって最上位のものから順番に１枚ずつ繰り出されて後述するＵ字反転経路５０に向けて搬送されるようになっている。自動給送装置（搬送装置）３は、上記給紙カセット１１と、この給紙カセット１１内の上位の記録用紙Ｐを後方に引き出すピックアップローラー（給紙ローラー）１６と、後方に引き出された上位の記録用紙Ｐを予備分離しながらＵ字反転経路５０に導く分離斜面１２と、該分離斜面１２の後部斜め上方において自由回転可能な状態で設けられる第１ガイドローラー２０と、該第１ガイドローラー２０の後部斜め上方に設けられる分離ローラー２１とを備えている。
【００２０】
また、前記ピックアップローラー１６は、揺動軸１８を中心に揺動する揺動アーム１７の先端部に設けられており、搬送時に記録用紙Ｐの上面に圧接されて搬送方向Ａへの回転によって給紙カセット１１内の上位の記録用紙Ｐを後方に引き出すことができるようになっている。前記分離ローラー２１は、トルクリミッタが接続された分離従動ローラー２２と、分離駆動ローラー２３との一対のニップローラーによって構成されており、前記分離斜面１２による予備分離では分離できなかった後続の記録用紙Ｐを最上位の記録用紙Ｐから完全に分離させる本分離作用を担っている。
【００２１】
前記自動給送装置３によって搬送された記録用紙Ｐは、Ｕ字反転経路５０内を搬送されて記録ポジション５１に導かれる。記録ポジション５１の下方には搬送されてきた記録用紙Ｐの下面を支持して記録ヘッド４２下面との間のギャップＰＧを規定するプラテン３８が設けられている。なお、プラテン３８は、支持部材である搬送案内部３９と、搬送案内部３９の上面に形成されているプラテンリブ３８ａと、記録の実行に使用されなかった余剰のインクを回収するためのインク回収溝３９ａとを備えている。プラテンリブ３８ａは記録用紙Ｐの搬送姿勢を規定することに主眼が置かれるものである。
【００２２】
一方、記録ポジション５１の上方には記録実行装置４の主要な構成部材である記録ヘッド４２と、該記録ヘッド４２を下面に搭載した状態で幅方向Ｂにキャリッジガイド軸４１に案内されて往復移動し得るキャリッジ４０とが設けられている。さらに、記録実行装置４には記録ヘッド４２に各色のインクを供給する図示しない複数本のインクチューブ及びインク供給ポンプと、キャリッジ４０のホームポジションに設けられる図示しないキャッピング装置と、記録用紙Ｐと硬質被記録材（不図示）との切替え時等に使用される図示しない自動ギャップ調整機構等とが備えられている。
【００２３】
また、記録ポジション５１の搬送方向Ａにおける下流位置には、被記録材の排出装置６が設けられている。被記録材の排出装置６は、排出駆動ローラー４４と排出従動ローラー４５との一対のニップローラーによって構成される排出用ローラー４３と、上述した排出用スタッカー４７とを備えることによって構成されている。また、前記排出用スタッカー４７には入れ子状にその内部に収容される延長スタッカー４８が引出し、格納自在に設けられている。
【００２４】
次に、記録用紙Ｐ用の搬送経路を構成するＵ字反転経路５０について説明する。Ｕ字反転経路５０は、プリンター本体２内部の後部スペースを利用して設けられており、Ｕ字反転経路５０の外側案内面５０ａを形成する一例として２分割された上方に位置する上部ハウジング８３、８４及び上搬送案内３７と、下方に位置する下部ハウジング８５と、Ｕ字反転経路５０の内側案内面５０ｂを形成する上部経路構成部材５７とを備えることによってＵ字反転経路５０は構成されている。
【００２５】
また、上記Ｕ字反転経路５０には、図２に示すように、送り駆動ローラー２６と送り従動ローラー２７との一対のニップローラーによって構成されている第１中間送りローラー２５と、自由回転可能な第２ガイドローラー２９と、送り駆動ローラー３２と送り従動ローラー３３との一対のニップローラーによって構成されている第２中間送りローラー３１とが設けられている。そして、これらの各ローラー２５、２９、３１の送り及び案内作用によってＵ字反転経路５０に供給された記録用紙Ｐは、このＵ字反転経路５０を通って、Ｕ字反転経路５０の下流近傍位置に設けられる上述した搬送用ローラー３４のニップ点に供給されるようになっている。
【００２６】
搬送用ローラー３４は、ローラー駆動軸３５ａによって支持された搬送駆動ローラー３５と、上搬送案内３７の先端において自由回転可能な状態で設けられている搬送従動ローラー３６との一対のニップローラーによって構成されている。また、前記搬送従動ローラー３６の搬送方向Ａの位置は、搬送駆動ローラー３５の搬送方向Ａの位置よりも幾分下流にずれた位置、所謂「逆ぞり構造」に設定されている。そして、このような「逆ぞり構造」の搬送用ローラー３４を採用することによって、供給された記録用紙Ｐの先端を下方のプラテンリブ３８ａに押し付けてヘッド擦れを防止し、記録品質の向上を図っている。
【００２７】
また、ローラー駆動軸３５ａには、図示しない駆動モータからの動力が伝達されて、記録用紙Ｐ及び保持トレイ５５（被記録材）の各搬送を実行できるようになっている。また、ローラー駆動軸３５ａには、図示しないクラッチ装置が設けられており、クラッチ装置の係合位置を適宜可変することによって、上述した図示しないインク供給ポンプ、キャッピング装置、自動ギャップ調整機構及び自動給送装置３に対して選択的にローラー駆動軸３５ａの動力を伝えることができるようになっている。
【００２８】
なお、保持トレイ５５にセットできる硬質被記録材としては、１２ｃｍ直径あるいは８ｃｍ直径のＣＤ−Ｒ、ＣＤ−ＲＷ、ＤＶＤ−Ｒ、ＤＶＤ−ＲＷあるいは次世代の光ディスクとして注目されているブルーレイディスクや今後開発されるものを含めた種々の光ディスク等が適用可能である。
【００２９】
次に、給紙カセット１１の周辺部の構成について図３〜５を参照しながら説明する。図３は揺動アーム１７及び給紙カセット１１の構成を示す斜視図であり、図４は揺動アーム１７の要部を説明するための図であり、図５は給紙カセット１１の斜視構成を示す図である。なお、図３、５においては、図を見易くするため、記録用紙Ｐの図示を省略している。
【００３０】
図３に示されるように、ピックアップローラー１６は、給紙カセット１１の底面における一端部側に偏倚した状態となるように揺動アーム１７に取付けられている。これは、給紙カセット１１内にセットされるサイズの異なる記録用紙に対応するためである。そのため、例えば、比較的大きなサイズの記録用紙に対しては、ピックアップローラー１６が一端側に偏倚した状態で当接することとなる。
【００３１】
本実施形態に係る揺動アーム１７は、ピックアップローラー１６が一端側に偏倚した状態で当接する比較的大きいサイズの記録用紙の他端側の浮き上がりを押さえる押さえ部７０を備えている。押さえ部７０は、その先端７０ａの断面形状が略蒲鉾状の曲面となっている。また、図４に示されるように、ピックアップローラー１６と押さえ部７０とは同軸上に配置されており、ピックアップローラー１６に比較して、押さえ部７０の先端７０ａの径が僅かに小さく設定されている。このように押さえ部７０の先端７０ａの径をピックアップローラー１６よりも小さく設定することで、搬送時に記録用紙Ｐがピックアップローラー１６よりも先に押さえ部７０に接触することで負荷が生じるのを防止している。
【００３２】
また、給紙カセット１１には、該給紙カセット１１内に収容される記録用紙Ｐの幅方向に沿って移動可能なエッジガイド６０が設けられている。エッジガイド６０は、カセット内にセットされる記録用紙Ｐの大きさに応じて適宜移動される。
【００３３】
なお、給紙カセット１１には、エッジガイド６０に対向配置される不図示の固定ガイドが設けられている。エッジガイド６０は、固定ガイドとともに記録用紙Ｐの両側縁（エッジ）に当接することで、給紙カセット１１内に収容された記録用紙Ｐは、カセット内の一端側（エッジガイド６０と反対側の端部）に寄せられた状態となる。これにより、積層状態でカセット内にセットされる記録用紙Ｐを整列させるとともに、この記録用紙Ｐを円滑に搬送可能としている。
【００３４】
具体的にエッジガイド６０は、図５に示されるように、給紙カセット１１に設けられたガイド溝６１に沿って移動可能となっている。これにより、自動給送装置３は、給紙カセット１１内にセットされる大きさの異なる記録用紙Ｐをエッジガイド６０によって良好にガイドできるようになっている。
【００３５】
ところで、一般的にインクジェットプリンターにおいては、給紙カセットから記録用紙が斜めに搬送される、所謂スキューが発生する可能性がある。
これに対し、本実施形態に係るインクジェットプリンター１は、図６に示すように、記録用紙Ｐの搬送方向下流側において、この記録用紙Ｐが斜めに搬送されることを規制する規制部６２をエッジガイド６０に備えている。
【００３６】
規制部６２は、エッジガイド本体６０ａにおける記録用紙Ｐの搬送方向下流側にから分離斜面１２に沿って斜め上方に延びる延出部６３の先端に設けられている。また、規制部６２における記録用紙Ｐと当接部６２ａは、滑らかな曲面形状となっている。これにより、記録用紙Ｐの搬送時に負荷を生じさせること無く、記録用紙Ｐの搬送経路を所定の経路に規制することが可能となっている。
【００３７】
また、エッジガイド本体６０ａの底面には突部６４が設けられており、この突部６４が給紙カセット１１に設けられたガイド溝６１に嵌合することでエッジガイド６０がスライド可能となっている。
【００３８】
次に、上記インクジェットプリンター１の動作として、本願発明の特徴である記録用紙Ｐの搬送について説明する。なお、本説明においては、給紙カセット１１内にセットされている記録用紙Ｐは、ピックアップローラー１６により搬送される際、一端側が押さえ部７０によって押さえられた状態となっているものとする。
【００３９】
インクジェットプリンター１は、自動給送装置３（ピックアップローラー１６）によって給紙カセット１１内にセットされている複数枚の記録用紙Ｐのうち、最上位の記録用紙Ｐのみを搬送する。このとき、記録用紙Ｐはエッジガイド６０によって側部が円滑にガイドされた状態で搬送される。
【００４０】
また、記録用紙Ｐは、ピックアップローラー１６により一端側が搬送されるとともに他端側が押さえ部７０によって押さえられた状態となっている。さらに、記録用紙Ｐにおける他端側の側部は、エッジガイド６０に設けられた規制部６２に当接した状態で搬送される。
【００４１】
ここで、押さえ部７０の先端７０ａの径は、上述のようにピックアップローラー１６の径に比べて小さいため、分離斜面１２により湾曲反転させられる記録用紙Ｐの搬送経路が用紙の幅方向において不均一となる。具体的には、記録用紙Ｐは、相対的に径の小さい押さえ部７０の先端７０ａに沿って搬送される端部は、相対的に径の大きいピックアップローラー１６に沿って搬送される端部に比べ、先行した状態で分離斜面１２へと搬送される。これにより、記録用紙Ｐが斜めに搬送される、所謂スキューが発生する可能性がある。
【００４２】
記録用紙Ｐは、先行して搬送されることでスキューの原因となる押さえ部７０側の端部が規制部６２に当接することで、その搬送経路が所定の経路に規制される。このように本実施形態においては、図７に示されるように規制部６２が上述のように先行して搬送されている記録用紙Ｐの他端側に当接することで、斜めに搬送されている記録用紙Ｐの搬送姿勢を修正することができる。なお、図７においては押さえ部７０のみを図示し、ピックアップローラー１６の図示を省略している。
【００４３】
記録用紙Ｐは、上述したように給紙カセット１１内に積層状態でセットされるため、給紙カセット１１内に記録用紙Ｐが最大枚数設置された状態と、給紙カセット１１内に記録用紙Ｐが最小枚数（１枚）設置された状態とを比較すると、図７に示されるように従来構成（規制部６２が存在しない構成）においては、ピックアップローラー１６により搬送される記録用紙Ｐの搬送経路に差が生じてしまう。
【００４４】
図７中では、従来構成における記録用紙Ｐの搬送経路を細線で示し、具体的には最小枚数（ｍｉｎ）の場合を実線で示し、記録用紙Ｐが最大枚数（ｍａｘ）の場合を２点鎖線で示している。
また、図７中においては、本実施形態における記録用紙Ｐの搬送経路を太線で示し、具体的には最小枚数（ｍｉｎ）の場合を実線で示し、従来構成における記録用紙Ｐが最大枚数（ｍａｘ）の場合を２点鎖線で示している。
【００４５】
これに対し、本実施形態によれば、図７に示されるように、規制部６２によって、最大数収容した給紙カセット１１からピックアップローラー１６により給紙された記録用紙（第一被記録媒体）Ｐ１の搬送経路と、１枚だけ収容した給紙カセット１１からピックアップローラー１６により給紙された記録用紙（第二被記録媒体）Ｐ２の搬送経路とが略同じになるように規制している。また、規制部６２は給紙カセット１１内に収容されている記録用紙Ｐの枚数により上下動する押さえ部７０よりも高い位置で記録用紙に当接する。
【００４６】
これにより、給紙カセット１１内に最大枚数の記録用紙Ｐが収容されている場合のみならず、記録用紙Ｐが１枚だけ収容されているような場合でもスキューが生じるのを確実に防止することで良好にＵ字反転経路５０内に記録用紙Ｐを搬送することができる。
【００４７】
したがって、給紙カセット１１内に収容される記録用紙Ｐの枚数に応じてスキュー量が変動するのを確実に防止した、信頼性の高い搬送を行うことができる。また、規制部６２は、図６に示したように、滑らかな曲面形状を有する当接部６２ａを備えるので、記録用紙Ｐの搬送時に負荷を生じさせること無く、記録用紙Ｐの搬送経路を所定の経路に規制することができる。
【００４８】
そして、Ｕ字反転経路５０では第１中間送りローラー２５と第２中間送りローラー３１とによって記録用紙Ｐに送り力が付与されて、更に第２ガイドローラー２９と、Ｕ字反転経路５０の外側案内面５０ａ及び内側案内面５０ｂと、上搬送案内３７の内側案内面３７ａとによって案内されて記録用紙Ｐは搬送用ローラー３４に導かれる。そして、搬送用ローラー３４による挟圧送り作用によって、記録用紙Ｐは記録ポジション５１に向けて搬送されて記録実行装置４による所望の記録が実行される。
【００４９】
以上述べたように、本実施形態によれば、エッジガイド６０に設けられた規制部６２によって記録用紙Ｐが斜めに搬送される、所謂スキューの発生を防止することができる。このように記録用紙Ｐが良好に搬送されることで高い品質の記録を行うことができる。
【００５０】
また、通常、給紙カセット１１内に収容される記録用紙Ｐの枚数が変動するとスキュー量が変動するものの、本実施形態によれば規制部６２を備えることで、カセット内における記録用紙Ｐの残量が変化した場合でもスキューの発生を良好に防止することができる。
【００５１】
なお、本発明は上記実施形態に限定されることは無く、本発明の趣旨を逸脱しない範囲内において適宜変更可能である。
【符号の説明】
【００５２】
Ｐ…記録用紙（被記録媒体）、Ｐ１…記録用紙（第一被記録媒体）、Ｐ２…記録用紙（第二被記録媒体）、１１…給紙カセット（カセット部材）、１６…ピックアップローラー（給紙ローラー）、６０…エッジガイド、６２…規制部、７０…押さえ部
【図１】
2011051726.tif 000003
【図２】
2011051726.tif 000004
【図３】
2011051726.tif 000005
【図４】
2011051726.tif 000006
【図５】
2011051726.tif 000007
【図６】
2011051726.tif 000008
【図７】
2011051726.tif 000009